(57)【要約】【課題】電子装置の実装パーツの取り外し制止制御方法、電子装置及び伝送装置に関し、人為的な誤操作を防ぎ、保守者が誤った箇所のパーツを取り外してしまうのを防ぐ。【解決手段】電子装置に実装される各パーツの実装状態を設定するために、監視制御端末１−３から投入されるコマンドをコマンド解析部１−１２で解析し、コマンド制御部１−１６で、コマンドがパーツ実装時の登録コマンドであるとき、パーツの実装位置の被実装部材に該パーツを係止させるロック制御を行い、コマンドがパーツ抜去時の削除コマンドであるとき、パーツの実装位置の被実装部材から該パーツの係止を解除するロック解除制御を行う制御情報を送出し、ロック制御部は該制御情報に従って、パーツの実装位置の被実装部材に該パーツを係止させるロック機構部１−２を制御する。【選択図】図１
2009158895.tif 000002
【特許請求の範囲】
【請求項１】
電子装置に実装される各パーツの実装状態を設定するために投入されるコマンドを解析し、該コマンドがパーツ実装時の登録コマンドであるとき、該パーツの実装位置の被実装部材に該パーツを係止させるロック制御を行い、該コマンドがパーツ抜去時の削除コマンドであるとき、該パーツの実装位置の被実装部材から該パーツの係止を解除するロック解除制御を行う、電子装置の実装パーツの取り外し制止制御方法。
【請求項２】
前記パーツに関連する警報の発生又は回復を検出し、該警報の種別に応じてロック制御又はロック解除制御の要否を判断し、ロック制御又はロック解除制御を要する場合に、前記ロック制御又はロック解除制御を行う請求項１に記載の電子装置の実装パーツの取り外し制止制御方法。
【請求項３】
投入されるコマンドを解析し、該コマンドが強制ロック解除を示すコマンドであるとき、該当パーツの実装位置の被実装部材から該パーツの係止を強制的に解除するロック解除制御を行う請求項１又は２に記載の電子装置の実装パーツの取り外し制止制御方法。
【請求項４】
電子装置に実装される各パーツの実装状態を設定するために投入されるコマンドを解析するコマンド解析部と、
前記コマンドがパーツ実装時の登録コマンドであるとき、該パーツの実装位置の被実装部材に該パーツを係止させるロック制御を行い、該コマンドがパーツ抜去時の削除コマンドであるとき、該パーツの実装位置の被実装部材から該パーツの係止を解除するロック解除制御を行う制御情報を送出するコマンド制御部と、
前記コマンド制御部からの制御情報に従って、前記パーツの実装位置の被実装部材に該パーツを係止させるロック機構部を制御するロック制御部と
を備えた電子装置。
【請求項５】
前記コマンド制御部は、各パーツのロック制御状態の情報を格納したロック制御管理テーブル、及び警報発生状態に応じてロック制御の要否を格納した警報管理テーブルの格納情報に従って、前記ロック制御又はロック解除制御を行う制御情報を送出する請求項４に記載の電子装置。
【請求項６】
伝送装置に実装されるパッケージ、着脱式光部品及び光ファイバの各パーツの実装状態を設定するために投入されるコマンドを解析するコマンド解析部と、
前記コマンドが前記各パーツの実装時の登録コマンドであるとき、該パーツの実装位置の被実装部材に該パーツを係止させるロック制御を行い、該コマンドがパーツ抜去時の削除コマンドであるとき、該パーツの実装位置の被実装部材から該パーツの係止を解除するロック解除制御を行う制御情報を送出するコマンド制御部と、
前記コマンド制御部からの制御情報に従って、前記パーツの実装位置の被実装部材に該パーツを係止させるロック機構部を制御するロック制御部と
を備えた伝送装置。
【発明の詳細な説明】
【技術分野】
【０００１】
本発明は、電子装置の実装パーツの取り外し制止制御方法、電子装置及び伝送装置に関し、伝送装置等の電子装置に実装されるパッケージや、該パッケージに実装される着脱式光部品やケーブル等のパーツを、被実装部材から取り外すことを制止する取り外し制止制御方法、電子装置及び伝送装置に関する。
【背景技術】
【０００２】
近年、Ｅｔｈｅｒ（登録商標）／ＩＰ伝送装置、ＷＤＭ（Wavelength Division Multiplexing）伝送装置、ＡＴＭ（Asynchronous Transfer Mode）伝送装置等の伝送装置は、通信容量の増加に伴って収容回線数が増大化し、回線を実装するパッケージの数やパッケージに実装される着脱式光部品やケーブルの数が膨大なものとなり、また、パッケージ実装構成が複雑になっている。
【０００３】
従来の伝送装置等の電子装置におけるパッケージ等の電子部材パーツの実装構成例を図１８に示す。同図の（ａ）は、１つの架１８−１が３段のシェルフ１８−２で構成され、各シェルフ１８−２にそれぞれ多数のパッケージ１８−３を実装した構成を正面から見た図を示している。また、同図の（ｂ）は、１つのパッケージ１８−３に、着脱式光部品１８−４及び着脱不可光部品１８−４’が実装され、着脱式光部品１８−４及び着脱不可光部品１８−４’にケーブル１８−５が実装されたパッケージ構成を示している。
【０００４】
従来のパッケージ等の電子部材パーツの実装形態を図１９〜図２２に示す。図１９の（ａ）はパッケージの実装形態を示し、図１９の（ｂ）は着脱式光部品の実装形態を示す。従来のパッケージの実装形態は、同図（ａ）に示すように、パッケージ１８−３に挿抜レバー１９−１を設け、パッケージ１８−３をシェルフ１８−２に実装した際に、挿抜レバー１９−１がシェルフ１８−２に引っ掛かり、パッケージ１８−３がシェルフ１８−２から簡単に抜けない制止機構が用いられていた。
【０００５】
また、着脱式光部品の実装形態は、同図（ｂ）に示すように、着脱式光部品１８−４につめ１９−２を設け、着脱式光部品１８−４をパッケージ１８−３に実装した際に、つめ１９−２がパッケージ１８−３に引っ掛かり、着脱式光部品１８−４がパッケージ１８−３から簡単に抜けない制止機構が用いられていた。
【０００６】
図２０は従来のパッケージの実装前及び実装後の状態を示す。同図の（ａ）はパッケージ１８−３の実装前の状態を示し、同図の（ｂ）はパッケージ１８−３の実装後の状態を示す。パッケージ１８−３をシェルフ１８−２に実装すると、挿抜レバー１９−１がシェルフ１８−２に引っ掛かり、パッケージ１８−３がシェルフ１８−２から抜けなくなる。
【０００７】
図２１は従来の着脱式光部品の実装前及び実装後の状態を示す。同図の（ａ）は着脱式光部品１８−４の実装前の状態を示し、同図の（ｂ）は着脱式光部品１８−４の実装後の状態を示す。着脱式光部品１８−４をパッケージ１８−３に実装すると、つめ１９−２がパッケージ１８−３に引っ掛かり、着脱式光部品１８−４がパッケージ１８−３から抜けなくなる。
【０００８】
図２２は従来のケーブルの実装前及び実装後の状態を示す。同図の（ａ）はケーブル１８−５の実装前の状態を示し、同図の（ｂ）はケーブル１８−５の実装後の状態を示す。ケーブル１８−５をパッケージ１８−３に実装すると、つめ１９−３がパッケージ１８−３に引っ掛かり、ケーブル１８−５がパッケージ１８−３から抜けなくなる。
【０００９】
先行技術文献として、下記の特許文献１には、パソコン本体と拡張器とを合体及び分離化可能にした離合機構において、携帯時に合体が解かれないようにした技術が開示されている。また、特許文献２には、ノート型パソコンをデスクトップ型の機器に組み込んで使用する組み込み型電子機器において、脱離するように指示されると、ハードウェアとソフトウェアの必要な切り離しを行った後に脱離可能にする技術について開示されている。
【特許文献１】特開平１１−７３２４１号公報
【特許文献２】特開平７−２１９６６６号公報
【発明の開示】
【発明が解決しようとする課題】
【００１０】
前述したように、通信容量の増加に伴い、回線を収容するパッケージの実装数、各パッケージに実装される着脱式光部品やケーブルの数が膨大化するとともに、パッケージ実装構成が複雑になり、それら電子部材のパーツを保守作業において交換する場合、交換すべきパーツの実装箇所を判断することが至難なものとなりつつある。そのため、誤った実装箇所のパーツを交換してしまって、重大な装置トラブルを引き起こし、伝送サービス等に甚大な影響を与えてしまうことがあった。
【００１１】
従来のパッケージ等のパーツの取り外し制止機能は、挿抜レバーやつめを被実装部材に引っ掛けて容易に抜けないようにしただけのものであり、保守者は目視によって保守対象のパーツの所在箇所を判断しその交換作業を行っていた。目視によってパーツの所在箇所を判断し、パーツの交換を行う作業では、複雑なパッケージ実装構成や膨大な配線数のために、誤った箇所のパーツの交換を行ってしまう場合があり、従来の挿抜レバーやつめによる取り外し制止機能では、誤った箇所のパーツの交換を防ぐことができないものであった。本発明は、人為的な誤操作を防ぎ、保守者が誤った箇所のパーツを取り外してしまうのを防ぐことを目的とする。
【課題を解決するための手段】
【００１２】
上記課題を解決するために、電子装置の実装パーツの取り外し制止制御方法として、電子装置に実装される各パーツの実装状態を設定するために投入されるコマンドを解析し、該コマンドがパーツ実装時の登録コマンドであるとき、該パーツの実装位置の被実装部材に該パーツを係止させるロック制御を行い、該コマンドがパーツ抜去時の削除コマンドであるとき、該パーツの実装位置の被実装部材から該パーツの係止を解除するロック解除制御を行うものである。
【００１３】
また、前記パーツに関連する警報の発生又は回復を検出し、該警報の種別に応じてロック制御又はロック解除制御の要否を判断し、ロック制御又はロック解除制御を要する場合に、前記ロック制御又はロック解除制御を行うものである。
【００１４】
また、投入されるコマンドを解析し、該コマンドが強制ロック解除を示すコマンドであるとき、該当パーツの実装位置の被実装部材から該パーツの係止を強制的に解除するロック解除制御を行うものである。
【００１５】
また、電子装置として、電子装置に実装される各パーツの実装状態を設定するために投入されるコマンドを解析するコマンド解析部と、前記コマンドがパーツ実装時の登録コマンドであるとき、該パーツの実装位置の被実装部材に該パーツを係止させるロック制御を行い、該コマンドがパーツ抜去時の削除コマンドであるとき、該パーツの実装位置の被実装部材から該パーツの係止を解除するロック解除制御を行う制御情報を送出するコマンド制御部と、前記コマンド制御部からの制御情報に従って、前記パーツの実装位置の被実装部材に該パーツを係止させるロック機構部を制御するロック制御部を備えたものである。
【００１６】
また、前記コマンド制御部は、各パーツのロック制御状態の情報を格納したロック制御管理テーブル、及び警報発生状態に応じてロック制御の要否を格納した警報管理テーブルの格納情報に従って、前記ロック制御又はロック解除制御を行う制御情報を送出するものである。
【００１７】
また、伝送装置として、伝送装置に実装されるパッケージ、着脱式光部品及び光ファイバの各パーツの実装状態を設定するために投入されるコマンドを解析するコマンド解析部と、前記コマンドが前記各パーツの実装時の登録コマンドであるとき、該パーツの実装位置の被実装部材に該パーツを係止させるロック制御を行い、該コマンドがパーツ抜去時の削除コマンドであるとき、該パーツの実装位置の被実装部材から該パーツの係止を解除するロック解除制御を行う制御情報を送出するコマンド制御部と、前記コマンド制御部からの制御情報に従って、前記パーツの実装位置の被実装部材に該パーツを係止させるロック機構部を制御するロック制御部を備えたものである。
【発明の効果】
【００１８】
本発明によれば、伝送装置等においてパッケージ、着脱式光部品又はケーブル等のパーツに対し、装置状態（登録状態や警報状態）と連携して自動的にロック制御を行うため、保守者が意識して該当箇所のロック作業を行う必要がなく、人為的な誤操作を防ぐと共に、抜去してはならないパーツに対して自動的にロック状態にするために、保守者が誤った箇所のパーツを抜去することを防ぐことができる。
【００１９】
また、強制ロック解除コマンドにより任意の箇所のパーツに対して強制的にロックを解除することにより、保守操作で抜去が必要な箇所のパーツのみに対して、ロック状態を解除し、該パーツの交換作業を行うことができる。
【発明を実施するための最良の形態】
【００２０】
図１は本発明によるパーツの取り外し制止機能の全体の機能ブロック図を示す。同図において、ファームウェア部１−１は、例えば架内にＣＰＵ盤として実装されたパッケージに搭載される機能部であり、該ＣＰＵ盤は、架内の他の全てのパッケージ及びその搭載パーツの各機能部に対して各種設定・制御及び警報検出を行う。
【００２１】
ファームウェア部１−１には、外部の監視制御端末（ＯＰＳ）１−３との間でコマンドを送受するコマンド送受信部１−１１、受信されたコマンドを解析するコマンド解析部１−１２、解析したコマンドに従って架内の各パッケージ及びその搭載パーツの実装（登録）／抜去（削除）等の情報を含む各種データを設定するデータ設定部１−１３、架内の各パッケージの機能部から送出される警報を検出する警報検出部１−１４、ロック制御部１−１５、コマンド制御部１−１６、警報制御部１−１７、ロック制御管理テーブル１−１８、警報管理テーブル１−１９を備える。
【００２２】
上記機能部のうち、コマンド送受信部１−１１、コマンド解析部１−１２、データ設定部１−１３、警報検出部１−１４は、一般の伝送装置等の電子装置に備えられた機能部であるが、本発明では、更に、ロック制御部１−１５、コマンド制御部１−１６、警報制御部１−１７、ロック制御管理テーブル１−１８、警報管理テーブル１−１９を新たに備える。
【００２３】
本発明は上記新たに備えた機能部により、ハードウェア部のロック機構部１−２を制御し、シェルフに実装されるパッケージ、該パッケージに実装される着脱式光部品又はケーブル等のパーツを、該ロック機構部１−２により被実装部材に係止させてロックし、被実装部材からの取り外しを制止するようにしたものである。なお、ロック機構部１−２は、ロック制御部１−１５から制御されるロック機構であればどのようなハードウェア構成であってもよい。
【００２４】
上記ロック制御に係る各機能部について説明する。ファームウェア部１−１におけるロック制御部１−１５は、コマンド制御部１−１６及び警報制御部１−１７から渡されるロック制御情報に従って、ロック機構部１−２に対するロック／ロック解除の制御を行う。
【００２５】
コマンド制御部１−１６は、パッケージ等の実装又は抜去に伴って投入される登録／削除コマンド、及びロック制御管理テーブル１−１８の格納情報に従い、ロック制御を要するパーツの該当箇所を特定し、ロック制御部１−２に該当箇所の情報及びロック／ロック解除の制御情報を渡す。
【００２６】
また、コマンド制御部１−１６は、強制ロック解除コマンド及びロック制御管理テーブル１−１８の格納情報に従い、ロック解除の制御を行うパーツの該当箇所を特定し、ロック制御部１−１５に該当箇所の情報及びロック解除情報を渡す。
【００２７】
警報制御部１−１７は、警報検出部１−１４からの警報発生又は警報回復の情報並びに警報管理テーブル１−１９及びロック制御管理テーブル１−１８の格納情報に従い、ロック制御を行うパーツの該当箇所を特定し、ロック制御部１−１５に対して該当箇所情報及びロック／ロック解除情報を渡す。
【００２８】
ロック制御管理テーブル１−１８は、該当箇所のロック制御状態の情報を格納したテーブルである。警報管理テーブル１−１９は、警報発生状態に応じてロック制御の要否を登録したテーブルである。ハードウェア部におけるロック機構部１−２は、ロック制御部１−１５からの命令に従い、該当箇所のパーツに対してロックピン等を挿抜し、ロック又はロック解除を行う機構部である。
【００２９】
これらの機能ブロックを設けることにより、ファームウェアにてパッケージ、着脱式光部品又はケーブル等のパーツの状態（登録状態又は警報状態）に応じ、取り外しが必要なパーツ以外のパーツに対して、被実装部材に係止させたロック状態にし、保守者が誤った箇所のパーツを取り外すことができないようにする。
【００３０】
ロック制御管理テーブルの構成例を図２に示す。ロック制御管理テーブルは、同図（ａ）に示すように、パッケージ、着脱式光部品又はケーブル等の各パーツ対応に、実装位置、登録状態、及びロック制御状態の情報を格納する。実装位置は、物理的な実装位置を番号情報として格納する。登録状態は、該当パーツが実装されファームウェア上に登録された状態、又は当該パーツが取り外され削除された状態の情報を格納する。ロック制御状態は、当該パーツがロックされた状態、又は当該パーツのロックが解除された状態の情報を格納する。
【００３１】
図２の（ｂ）はシェルフ内におけるパッケージ実装位置の例を示し、同図の（ｃ）はパッケージにおける着脱式光部品の実装位置の例を示し、同図の（ｄ）はパッケージにおけるケーブルの実装位置の例を示している。
【００３２】
警報管理テーブルの構成例を図３に示す。警報管理テーブルは、同図に示すように、各警報の種別対応に、パッケージ、着脱式光部品又はケーブル等の各パーツに対して、ロック制御の要否を示す「強制制御（警報発生時にロック解除、警報回復時にロックの制御を行う）」又は「通常制御（ロック制御を行わない）」の情報を格納する。
【００３３】
例えば、故障（ＦＬＴ）の警報に対しては、パッケージ、着脱式光部品及びケーブルを全て強制制御とする。誤実装（ＭＥＡ）の警報に対しては、パッケージ、着脱式光部品及びケーブルを全て強制制御とする。光部品故障（ＳＦＰＦＬＴ）の警報に対しては、パッケージを通常制御、着脱式光部品及びケーブルを強制制御とする。光部品誤実装（ＳＦＰＭＥＡ）の警報に対しては、パッケージを通常制御、着脱式光部品及びケーブルを強制制御とする。ケーブル抜け等による信号断（ＬＯＳ）の警報に対しては、パッケージを通常制御、着脱式光部品及びケーブルを強制制御とする。フレームエラー（ＬＯＦ）の警報に対しては、パッケージを通常制御、着脱式光部品及びケーブルを強制制御とする。
【００３４】
本発明におけるパッケージ、着脱式光部品、ケーブル等のパーツの実装形態の例を図４〜図６に示す。図４はパッケージの実装形態の例を示し、同図（ａ）はパッケージ実装前、同図（ｂ）はパッケージ実装後の状態を示している。パッケージ４−１を４−２シェルフに実装した際に、駆動部４−３によりロックピン４−４が駆動され、挿抜レバー４−５にロックピン４−４が嵌入し、パッケージ４−１がシェルフ４−２に係止され、取り外すことができなくなる。
【００３５】
図５は着脱式光部品の実装形態の例を示し、同図（ａ）は着脱式光部品の実装前、同図（ｂ）は着脱式光部品の実装後の状態を示している。着脱式光部品５−１をパッケージ４−１に実装した際に、駆動部５−２によりロックピン５−３が駆動され、着脱式光部品５−１にロックピン５−３が嵌入し、着脱式光部品５−１がパッケージ４−１に係止され、着脱式光部品５−１を取り外すことができなくなる。
【００３６】
図６はケーブルの実装形態の例を示し、同図（ａ）はケーブルの実装前、同図（ｂ）はケーブルの実装後の状態を示している。ケーブル６−１を着脱式光部品５−１に実装した際に、駆動部６−２によりロックピン６−３が駆動され、ケーブル６−１の取付け部にロックピン６−３が嵌入し、ケーブル６−１が着脱式光部品５−１に係止され、ケーブル６−１を取り外すことができなくなる。
【００３７】
次に、上記ロック制御に係る各機能部による自動ロック・解除の動作について説明する。まず、登録状態に応じた自動ロック・解除の動作について説明する。登録状態に応じた自動ロック・解除を行うために、外部の監視制御端末（ＯＰＳ）１−３から入力されたコマンド（登録／削除）、ロック制御管理テーブル１−１８の格納情報及び警報管理テーブル１−１９の格納情報を基に、コマンド制御部１−１６で該当箇所のパーツのロック制御状態を判定する。
【００３８】
登録／削除コマンドは既存のコマンドがそのまま使用される。登録コマンドの場合は、ロック制御状態が「解除」の状態のときに、該当箇所のパーツに対して自動的にロック状態に制御する。また、削除コマンドの場合は、ロック制御状態が「ロック」の状態のときに、該当箇所のパーツに対して自動的にロック状態を解除する。このとき、ロック制御管理テーブル１−１８の該当箇所のロック制御状態を更新する。
【００３９】
次に警報状態に応じた自動ロック・解除の動作について説明する。警報状態に応じた自動ロック・解除を行うために、警報発生時又は警報回復時に、警報管理テーブル１−１９の格納情報を基に、発生又は回復した警報に対して、ロック制御を要するパーツを判定し、警報発生時には該当箇所のロック状態を自動的に解除する。警報回復時は該当箇所を自動的にロック状態にする。また、同時にロック制御管理テーブル１−１８の該当箇所のロック制御状態を更新する。
【００４０】
次に、コマンドに応じた自動ロック・解除の動作について説明する。パッケージ改修作業など、ロック状態中のパーツに対して強制的に抜去する作業を行わなければならない場合、外部の監視制御端末（ＯＰＳ）１−３から強制ロック解除コマンドを送信する。該コマンドを受信したファームウェア部では、コマンド制御部１−１６においてロック制御管理テーブル１−１８の情報を基に該当パーツの箇所を判定し、該パーツに対して強制的にロック解除の制御を行う。このとき、ロック制御管理テーブル１−１８の該当箇所のロック制御状態を更新する。
【００４１】
図４〜６に示したような伝送装置の実装構成例に本発明を適用した場合の実施例について説明する。該実装構成例は、シェルフにパッケージが実装され、パッケージに着脱式光部品又は光ファイバケーブル（単に「光ファイバ」又は「ケーブル」とも記述する）が実装される構成例である。
【実施例１】
【００４２】
・正常パッケージ登録時の登録状態による自動ロック／解除の実施例
この実施例は、伝送装置のシェルフにパッケージを、パッケージにライン（着脱式光部品又は光ファイバ）をそれぞれ正常に収容し、登録状態に応じて自動ロック／ロック解除を行う場合の実施例である。この実施例１の動作シーケンスを図７に示す。
【００４３】
伝送装置への登録／削除コマンドは、外部の監視制御端末（ＯＰＳ）１−３から投入される。登録／削除コマンドは、既存のコマンドがそのまま使用される。装置制御部（ファームウェア部）のコマンド制御部１−１６は、受信したコマンドの種類を判別し、コマンド判定処理にて登録／削除可能と判定された登録／削除コマンドに対し、ロック制御の実施判定を行う。
【００４４】
［１−１］パッケージの登録／削除時
ここで、スロット番号１のパッケージを登録する場合を例に説明する。コマンド解析部１−１２にて投入コマンドが「パッケージ登録コマンド」と判定された場合、コマンド制御部１−１６にロック対象パーツの箇所（スロット番号１のパッケージ）のロック制御の依頼を行う。
【００４５】
コマンド制御部１−１６は、ロック制御管理テーブル（図１５）の情報を基に、スロット番号１のパッケージのロック制御状態（図１５（ａ）の状態）を確認する。また、警報制御部１−１７にてスロット番号１のパッケージと該パッケージに収容されるライン（着脱式光部品及びケーブル）の警報状態の判定を行う。
【００４６】
コマンド制御部１−１６においてスロット番号１のパッケージのロック制御状態が「解除」状態で、かつ警報制御部１−１７において正常登録可能（実装状態かつ警報なし）と判断された場合は、ロック制御部１−１５によりスロット番号１のパッケージに対してロック状態にする制御を行う。その際、コマンド制御部１−１６にてロック制御管理テーブルの登録状態を「登録」、ロック制御状態を「ロック状態」に変更する（図１５（ｂ）の状態）。
【００４７】
パッケージに対する物理的なロック手段の一例として、シェルフのパッケージ実装位置の上下部分にロックピンと駆動部を設け、ロックピンと駆動部とをバネで繋ぎ、ロック時は図１２の（ａ）に示すように、バネが伸びてロックピンがパッケージの挿抜レバーに嵌入してロックする。パッケージの挿抜レバー部分には、ロックピンが嵌入する形状にしておく。
【００４８】
次にスロット番号１のパッケージを削除する場合を説明する。コマンド解析部１−１２にて投入コマンドが「パッケージ削除コマンド」と判定された場合は、コマンド制御部１−１６にロック解除対象箇所（スロット番号１のパッケージ）のロック解除の依頼を行う。
【００４９】
コマンド制御部１−１６において、ロック制御管理テーブル（図１５）の情報を基にスロット番号１のパッケージのロック制御状態（図１５（ｂ）の状態）を確認する。スロット番号１のパッケージのロック制御状態が「ロック」状態と判断された場合、ロック制御部１−１５にてスロット番号１のパッケージに対してロック解除の制御を行う。その際、コマンド制御部１−１６にてロック制御管理テーブルの登録状態を「削除」、ロック制御常態を「解除状態」に変更する（図１５（ａ）の状態）。
【００５０】
パッケージに対する物理的なロック解除の手段の一例として、パッケージの挿抜レバーにロックピンが嵌入してパッケージがロックされている状態で、駆動部によりバネを縮めてパッケージからロックピンが抜けた状態とし、図１２（ｂ）に示すようにパッケージがシェルフから取り外し可能な状態にする。
【００５１】
［１−２］着脱式光部品の登録／削除時
スロット番号１のライン番号１の着脱式光部品（ＳＦＰ）を登録する場合を例に説明する。コマンド解析部１−１２にて投入コマンドが「着脱式光部品（ＳＦＰ）登録コマンド」と判定された場合は、コマンド制御部１−１６にロック対象箇所（スロット番号１のライン番号１の着脱式光部品（ＳＦＰ））のロック制御の依頼を行う。
【００５２】
コマンド制御部１−１６において、ロック制御管理テーブル（図１６）の情報を基に、スロット番号１のライン番号１の着脱式光部品（ＳＦＰ）のロック制御状態（図１６（ａ）の状態）を確認する。また、警報制御部１−１７にてスロット番号１のパッケージとスロット番号１のライン番号１の着脱式光部品（ＳＦＰ）の警報状態の判定を行う。
【００５３】
コマンド制御部１−１６において、スロット番号１のライン番号１の着脱式光部品（ＳＦＰ）のロック制御状態が「解除」状態で、かつ警報制御部１−１７にて正常登録可能（実装状態かつ警報なし）と判断された場合は、ロック制御部１−１５にてスロット番号１のライン番号１の着脱式光部品（ＳＦＰ）に対してロック状態にする制御を行う。その際、コマンド制御部１−１６にてロック制御管理テーブルの登録状態を「登録」、ロック制御状態を「ロック状態」に変更する（図１６（ｂ）の状態）。
【００５４】
着脱式光部品（ＳＦＰ）に対する物理的なロック手段の一例として、パッケージ内の着脱式光部品（ＳＦＰ）が実装される上下部分にロックピンと駆動部を設ける。ロックピンと駆動部とをバネで繋ぎ、ロック時は図１３（ａ）に示すように、バネが伸びてロックピンが着脱式光部品（ＳＦＰ）の上下部分に嵌入してロック状態にする。着脱式光部品（ＳＦＰ）の上下部分はロックピンが嵌入する形状にしておく。
【００５５】
次に、スロット番号１のライン番号１の着脱式光部品（ＳＦＰ）を削除する場合について説明する。コマンド解析部１−１２にて投入コマンドが「着脱式光部品（ＳＦＰ）削除コマンド」と判定された場合は、コマンド制御部１−１６にロック対象箇所（スロット番号１のライン番号１の着脱式光部品（ＳＦＰ））のロック解除の依頼を行う。
【００５６】
コマンド制御部１−１６においてロック制御管理テーブル（図１６）の情報を基に、スロット番号１のライン番号１の着脱式光部品（ＳＦＰ）のロック制御状態（図１６（ｂ）の状態）を確認する。スロット番号１のライン番号１の着脱式光部品（ＳＦＰ）のロック制御状態が「ロック状態」と判断された場合に、ロック制御部１−１５にてスロット番号１のライン番号１の着脱式光部品（ＳＦＰ）に対してロック解除の制御を行う。その際、コマンド制御部１−１６にてロック制御管理テーブルの登録状態を「削除」、ロック制御常態を「解除状態」に変更する（図１６（ａ）の状態）。
【００５７】
着脱式光部品（ＳＦＰ）に対する物理的なロック解除手段の一例として、パッケージ内の着脱式光部品（ＳＦＰ）の上下部分にロックピンが嵌入してロックされている状態で、駆動部によりバネが縮んで、図１３（ｂ）に示すように、着脱式光部品（ＳＦＰ）からロックピンが抜けて着脱式光部品（ＳＦＰ）が取り外し可能な状態にする。
【００５８】
［１−３］光ファイバケーブルの登録／削除時
スロット番号１のライン番号２の光ファイバケーブルを登録する場合について説明する。コマンド解析部１−１２にて投入コマンドが「光ファイバ登録コマンド」と判定された場合は、コマンド制御部１−１６にロック対象箇所（スロット番号１のライン番号１の光ファイバケーブル）のロック制御の依頼を行う。
【００５９】
コマンド制御部１−１６においてロック制御管理テーブル（図１７）の情報を基に、スロット番号１のライン番号２の光ファイバケーブルのロック制御状態（図１７（ａ）の状態）を確認する。また、警報制御部１−１７にてスロット番号１のパッケージとスロット番号１のライン番号２の光ファイバケーブルの警報状態の判定を行う。
【００６０】
コマンド制御部１−１６においてスロット番号１のライン番号２の光ファイバのロック制御状態が「解除状態」で、かつ警報制御部１−１７にて正常登録可能（実装状態かつ警報なし）と判断された場合は、ロック制御部１−１５にてスロット番号１のライン番号２の光ファイバに対してロック状態に制御する。その際、コマンド制御部１−１６にてロック制御管理テーブルの登録状態を「登録」、ロック制御状態を「ロック状態」に変更する（図１７（ｂ）の状態）。
【００６１】
光ファイバに対する物理的なロック手段の一例として、光ファイバが実装されるパッケージ内の上下部分にロックピンと駆動部とを設ける。ロックピンと駆動部とをバネで繋ぎ、ロック時は図１４（ａ）に示すように、バネが伸びてロックピンが光ファイバのつめの上下部に嵌入してケーブルをロックする。光ファイバのつめの部分はロックピンが嵌入する形状にしておく。
【００６２】
スロット番号１のライン番号２の光ファイバを削除する場合について説明する。コマンド解析部１−１２にて投入コマンドが「光ファイバ削除コマンド」と判定された場合は、コマンド制御部１−１６にロック対象箇所（スロット番号１のライン番号１の光ファイバケーブル）のロック解除の依頼を行う。
【００６３】
コマンド制御部１−１６においてロック制御管理テーブル（図１７）の情報を基に、スロット番号１のライン番号２の光ファイバのロック制御状態（図１７（ｂ）の状態）を確認する。スロット番号１のライン番号２の光ファイバのロック制御状態が「ロック状態」と判断された場合は、ロック制御部１−１５にてスロット番号１のライン番号２の光ファイバに対してロック解除の制御を行う。その際、コマンド制御部１−１６にてロック制御管理テーブルの登録状態を「削除」、ロック制御常態を「解除状態」に変更する（図１７（ａ）状態）。
【００６４】
光ファイバの物理的なロック解除手段の一例として、光ファイバのつめにロックピンが嵌入してロックされている状態で、図１２（ｂ）に示すように、駆動部によりバネが縮んで光ファイバケーブルのつめからロックピンが抜け、光ファイバがパッケージから取り外せるようにする。
【実施例２】
【００６５】
・異常パッケージ登録時の登録状態による自動ロック／解除の実施例
この実施例は、伝送装置のシェルフに異常パッケージを収容し、パッケージにライン（着脱式光部品又は光ファイバ）を収容し、登録状態に応じて自動ロック／ロック解除を行う場合の実施例である。この実施例２の動作シーケンスを図８に示す。ここで、異常パッケージとは、実装されているパッケージと異なる登録（データ設定）がなされ、又は登録されたパッケージが実装されていない若しくは故障している等の場合の警報発生状態のことである。
【００６６】
［２−１］パッケージの登録／削除時
スロット番号１のパッケージを登録する場合について説明する。コマンド解析部１−１２にて投入コマンドが「パッケージ登録コマンド」と判定された場合は、コマンド制御部１−１６にロック対象箇所（スロット番号１のパッケージ）のロック制御の依頼を行う。
【００６７】
コマンド制御部１−１６においてロック制御管理テーブル（図１５）の情報を基にスロット番号１のパッケージのロック制御状態を確認する。また、警報制御部１−１７にてスロット番号１のパッケージと該パッケージに収容されるライン（着脱式光部品及びケーブル）の警報状態の判定を行う。
【００６８】
警報制御部１−１７においてスロット番号１のパッケージの異常状態（故障（ＦＬＴ）発生）を検出した場合は、警報管理テーブル（図３）を参照して、発生警報に対するロック制御の要否を確認する。故障（ＦＬＴ）の警報の場合は、パッケージに対して「強制制御」となっているため、警報発生時にロック解除を行う。
【００６９】
ロック制御状態は「解除状態」であるため、スロット番号１のパッケージのロックは行わない。この状態でパッケージの抜去が可能となる。仮に「通常制御」となっていた場合は、警報発生中でもロック制御可能であるため、ロックを行う。ロック手段は、前述の実施例１のパッケージ登録時と同様である。
【００７０】
スロット番号１のパッケージを削除する場合について説明する。コマンド解析部１−１２にて投入コマンドが「パッケージ削除コマンド」と判定された場合、この場合のロック解除手段は、実施例１のパッケージ削除時と同様である。
【００７１】
［２−２］ライン（着脱式光部品／ケーブル）の登録／削除時
スロット番号１のライン番号２の着脱式光部品（ＳＦＰ）／光ファイバを登録する場合について説明する。コマンド解析部１−１２にて投入コマンドが「着脱式光部品（ＳＦＰ）／光ファイバ登録コマンド」と判定された場合は、コマンド制御部１−１６にロック対象箇所（スロット番号１のライン番号２の着脱式光部品（ＳＦＰ）／光ファイバ）のロック制御の依頼を行う。
【００７２】
コマンド制御部１−１６においてロック制御管理テーブル（図１６又は図１７）の情報を基に、スロット番号１のライン番号２の着脱式光部品（ＳＦＰ）／光ファイバのロック制御状態を確認する。また、警報制御部１−１７にてスロット番号１のパッケージとスロット番号１のライン番号２の着脱式光部品（ＳＦＰ）／光ファイバの警報状態の判定を行う。
【００７３】
警報制御部１−１７においてスロット番号１のパッケージの異常状態（故障（ＦＬＴ）発生）と判定された場合は、警報管理テーブル（図３）を参照して発生警報に対するロック制御の要否を確認する。故障（ＦＬＴ）の警報の場合は、パッケージ、着脱式光部品（ＳＦＰ）、光ファイバケーブルに対して「強制制御」となっているため、警報発生時にロック解除を行う。
【００７４】
ただし、ロック制御状態が「解除状態」であるため、スロット番号１のライン番号２の着脱式光部品（ＳＦＰ）／光ファイバへのロックは行わない。この状態では着脱式光部品（ＳＦＰ）／光ファイバの抜去が可能となる。仮に「通常制御」となっていた場合は、警報発生中でもロック制御可能であるためロックを行う。ロック手段は、実施例１の着脱式光部品（ＳＦＰ）登録時又は光ファイバ登録時と同様である。
【００７５】
スロット番号１のライン番号２の着脱式光部品（ＳＦＰ）／光ファイバを削除する場合について説明する。コマンド解析部１−１２にて投入コマンドが「着脱式光部品（ＳＦＰ）／光ファイバ削除コマンド」と判定された場合の解除手段は、実施例１の着脱式光部品（ＳＦＰ）削除時又は光ファイバ削除時と同様である。
【実施例３】
【００７６】
・ライン登録異常時の登録状態による自動ロック／解除の実施例
この実施例３は、伝送装置のシェルフにパッケージを実装し、該パッケージに、異常ライン（着脱式光部品（ＳＦＰ）又は光ファイバケーブル）を実装し、登録状態に応じて自動ロック／ロック解除を行う場合の実施例である。この動作シーケンスを図９に示す。ここで、異常ラインとは、着脱式光部品（ＳＦＰ）の場合は、実装された着脱式光部品（ＳＦＰ）と異なる登録（データ設定）がなされ、又は登録された着脱式光部品（ＳＦＰ）が実装されていない、或いは光ファイバの場合は、誤接続や光入力断等の警報発生状態のことである。
【００７７】
［３−１］パッケージの登録／削除時
スロット番号１のパッケージを登録する場合について説明する。コマンド解析部１−１２にて投入コマンドが「パッケージ登録コマンド」と判定された場合は、コマンド制御部１−１６にロック対象箇所（スロット番号１のパッケージ）のロック制御の依頼を行う。コマンド制御部１−１６においてロック制御管理テーブル（図１５）の情報を基にスロット番号１のパッケージのロック制御状態を確認する。
【００７８】
また、警報制御部１−１７にてスロット番号１のパッケージと該パッケージに収容されるラインの警報状態の判定を行う。警報制御部１−１７においてスロット番号１ライン番号１のラインの異常状態（ＬＯＳ発生）を検出した場合は、警報管理テーブル（図３）を参照して発生警報に対するロック制御の要否を確認する。
【００７９】
信号断（ＬＯＳ）等のライン異常時は、パッケージに対しては「通常制御」として格納されているためロックを行う。ロック手段は、実施例１のパッケージ登録時と同様である。仮に「ロック制御なし」となっていた場合はパッケージへのロック制御は行わない。コマンド解析部１−１２にて投入コマンドが「パッケージ削除コマンド」と判定された場合のロック解除手段は、実施例１のパッケージ削除時と同様である。
【００８０】
［３−２］ライン（着脱式光部品（ＳＦＰ）／光ファイバ）の登録／削除時
スロット番号１のライン番号２の着脱式光部品（ＳＦＰ）／光ファイバを登録する場合について説明する。投入コマンドがコマンド解析部１−１２にて「着脱式光部品（ＳＦＰ）／光ファイバ登録コマンド」と判定された場合は、コマンド制御部１−１６にロック対象箇所（スロット番号１のライン番号２の着脱式光部品（ＳＦＰ）／光ファイバ）のロック制御の依頼を行う。
【００８１】
コマンド制御部１−１６においてロック制御管理テーブル（図１６又は図１７）の情報を基にスロット番号１のライン番号２の着脱式光部品（ＳＦＰ）／光ファイバのロック制御状態を確認する。また、警報制御部１−１７にてスロット番号１のパッケージとスロット番号１のライン番号２の着脱式光部品（ＳＦＰ）／光ファイバの警報状態の判定を行う。
【００８２】
スロット番号１のライン番号２の着脱式光部品（ＳＦＰ）／光ファイバのライン異常状態（例えば信号断（ＬＯＳ）等発生）を検出した場合は、警報管理テーブル（図３）を参照して、発生警報に対するロック制御の要否を確認する。ライン異常（例えば信号断（ＬＯＳ）発生）時は、着脱式光部品（ＳＦＰ）／光ファイバに対して「強制制御」となっているため、警報発生時にロック解除を行う。
【００８３】
ただし、ロック制御状態が「解除状態」であるため、スロット番号１のライン番号２の着脱式光部品（ＳＦＰ）／光ファイバへのロック制御は行わない。この状態で着脱式光部品（ＳＦＰ）／光ファイバの取り外しは可能となる。仮に「ロック」となっていた場合は、警報発生中でもロック制御可能であるため、ロックを行う。ロック手段は、実施例１の着脱式光部品（ＳＦＰ）登録時又は光ファイバと同様である。
【００８４】
スロット番号１のライン番号２の着脱式光部品（ＳＦＰ）／光ファイバを削除する場合について説明する。投入コマンドがコマンド解析部１−１２にて「着脱式光部品（ＳＦＰ）／光ファイバ削除コマンド」と判定された場合のロック解除手段は、実施例１の着脱式光部品（ＳＦＰ）削除時又は光ファイバ削除時と同様である。
【実施例４】
【００８５】
・登録後の警報発生による自動ロック／解除の実施例
この実施例は、伝送装置のシェルフにパッケージを実装し、該パッケージにライン（着脱式光部品（ＳＦＰ）又は光ファイバ）を収容し、パッケージ又はラインの警報が発生したときの自動ロック／ロック解除の実施例である。この実施例４の動作のシーケンスを図１０に示す。
【００８６】
［４−１］パッケージ警報発生時
スロット番号１にパッケージ、スロット番号１ライン番号１に着脱式光部品（ＳＦＰ）と光ファイバケーブル、スロット番号１ライン番号２に光ファイバが登録されている状態で、スロット番号１のパッケージの警報（例えば故障（ＦＬＴ））が発生した場合について説明する。
【００８７】
パッケージ、着脱式光部品（ＳＦＰ）及び光ファイバが登録されている状態でかつそれらがロック状態中であるときに、パッケージ警報（例えば故障（ＦＬＴ））が発生し、該発生した警報を警報制御部１−１７にて判定し、警報管理テーブル（図３）を参照して発生警報（例えば故障（ＦＬＴ））に対するパッケージ、着脱式光部品（ＳＦＰ）及び光ファイバに対するロック制御状態を確認する。
【００８８】
故障（ＦＬＴ）の警報発生時は、パッケージ、着脱式光部品（ＳＦＰ）及び光ファイバは何れも「強制制御」であるために、パッケージ内に収容された着脱式光部品（ＳＦＰ）及び光ファイバに対してもロック解除を行うために、ロック制御管理テーブル（図１６及び図１７）を参照し、パッケージ、着脱式光部品（ＳＦＰ）及び光ファイバの登録状態及びロック制御状態を確認する。
【００８９】
警報制御部１−１７は、登録状態が「登録」かつロック制御状態が「ロック」となっている箇所（スロット番号１のパッケージ、スロット番号１ライン番号１の着脱式光部品（ＳＦＰ）と光ファイバ、スロット番号１ライン番号２の光ファイバ）のロック解除の依頼をロック制御部１−１５に対して行う。
【００９０】
ロック制御部１−１５では、スロット番号１のパッケージ、スロット番号１ライン番号１の着脱式光部品（ＳＦＰ）と光ファイバ、スロット番号１ライン番号２の光ファイバのロック解除を行い、ロック制御管理テーブルのロック制御情報を「解除」状態に変更する。仮に「通常制御」の警報発生であればロック制御は行わない。物理的なロック解除の手段は、実施例１のロック解除の手段と同様である。
【００９１】
［４−２］パッケージ警報回復時
スロット番号１にパッケージ、スロット番号１ライン番号１に着脱式光部品（ＳＦＰ）と光ファイバ、スロット番号１ライン番号２に光ファイバが登録されている状態で、スロット番号１のパッケージの警報（故障（ＦＬＴ））が回復した場合について説明する。パッケージ、着脱式光部品（ＳＦＰ）、光ファイバが登録されている状態で、かつロック状態中にパッケージ警報（故障（ＦＬＴ））が回復したとする。
【００９２】
警報制御部１−１７は、回復した警報を判定し、警報管理テーブル（図３）を参照して回復警報（故障（ＦＬＴ））に対するパッケージ、着脱式光部品（ＳＦＰ）、光ファイバへのロック制御状態を確認する。故障（ＦＬＴ）時は、パッケージ、着脱式光部品（ＳＦＰ）及び光ファイバは何れも「強制制御」であるために、パッケージ及び該パッケージ内に収容された着脱式光部品（ＳＦＰ）及び光ファイバに対してロック状態に制御するために、ロック制御管理テーブル（図１６及び図１７）を参照し、パッケージ、着脱式光部品（ＳＦＰ）及び光ファイバの登録状態及びロック制御状態を確認する。
【００９３】
警報制御部１−１７は、「登録」状態かつロック制御状態が「解除」となっている箇所（スロット番号１のパッケージ、スロット番号１ライン番号１の着脱式光部品（ＳＦＰ）及び光ファイバ、スロット番号１ライン番号２の光ファイバ）のロック制御の依頼をロック制御部１−１５に対して行う。
【００９４】
ロック制御部１−１５は、スロット番号１のパッケージ、スロット番号１ライン番号１の着脱式光部品（ＳＦＰ）及び光ファイバ、スロット番号１ライン番号２の光ファイバに対してロック状態に制御し、ロック制御管理テーブルのロック制御情報を「ロック」状態に変更する。仮に「通常制御」の警報回復であれば、ロック制御を行わない。物理的なロックの手段は、実施例１のロックの手段と同様である。
【００９５】
［４−３］ライン警報発生時
スロット番号１にパッケージ、スロット番号１ライン番号１に着脱式光部品（ＳＦＰ）及び光ファイバ、スロット番号１ライン番号２に光ファイバが登録されている状態で、スロット番号１ライン番号１の光ファイバの警報（例えば信号断（ＬＯＳ））が発生した場合について説明する。
【００９６】
パッケージ、着脱式光部品（ＳＦＰ）及び光ファイバが登録されている状態で、かつそれらがロック状態中に信号断（ＬＯＳ）のライン警報が発生したとする。警報制御部１−１７は、発生警報を判定し、警報管理テーブル（図３）を参照して、発生警報（ＬＯＳ）に対するパッケージ、着脱式光部品（ＳＦＰ）及び光ファイバのロック制御の要否を確認する。
【００９７】
パッケージは「通常制御」、着脱式光部品（ＳＦＰ）及び光ファイバは共に「強制制御」であるために、ロック制御管理テーブル（図１６及び図１７）を参照して、着脱式光部品（ＳＦＰ）及び光ファイバの登録状態及びロック制御状態を確認する。警報制御部１−１７は、それらが登録状態が「登録」でかつロック制御状態が「ロック」となっている箇所（スロット番号１ライン番号１の着脱式光部品（ＳＦＰ）及び光ファイバ）のロック解除の依頼をロック制御部１−１５へ行う。
【００９８】
ロック制御部１−１５は、スロット番号１ライン番号１の着脱式光部品（ＳＦＰ）及び光ファイバのロック解除を行い、ロック制御管理テーブルのロック制御情報を「解除」の状態に変更する。仮に「通常制御」の警報発生であればロック制御を行わない。物理的なロック解除の手段は、実施例１のロック解除手段と同様である。
【００９９】
［４−４］ライン警報回復時
スロット番号１にパッケージ、スロット番号１ライン番号１に着脱式光部品（ＳＦＰ）及び光ファイバ、スロット番号１ライン番号２に光ファイバが登録されている状態で、スロット番号１ライン番号１のファイバの警報が回復した場合について説明する。
【０１００】
パッケージ、着脱式光部品（ＳＦＰ）及び光ファイバが登録されている状態でかつそれらがロック状態中に、信号断（ＬＯＳ）のライン警報が回復したものとする。警報制御部１−１７は、回復した警報を判定し、警報管理テーブル（図３）を参照して、回復警報（ＬＯＳ）に対するパッケージ、着脱式光部品（ＳＦＰ）及び光ファイバに対するロック制御の要否を確認する。
【０１０１】
パッケージは「通常制御」、着脱式光部品（ＳＦＰ）及び光ファイバは共に「強制制御」であるために、ロック制御管理テーブル（図１６及び図１７）を参照して、着脱式光部品（ＳＦＰ）及び光ファイバの登録状態及びロック制御状態を確認する。警報制御部１−１７は、登録状態が「登録」でかつロック制御状態が「解除」となっている箇所（スロット番号１ライン番号１の着脱式光部品（ＳＦＰ）及び光ファイバ）のロック制御の依頼をロック制御部１−１５に行う。
【０１０２】
ロック制御部１−１５は、スロット番号１ライン番号１の着脱式光部品（ＳＦＰ）及び光ファイバをロック状態に制御し、ロック制御管理テーブルのロック制御情報を「ロック」状態に変更する。仮に「通常制御」の警報回復であればロック制御を行わない。物理的なロックの手段は、実施例１のロック手段と同様である。
【実施例５】
【０１０３】
・遠隔操作による自動ロック解除の実施例
この実施例は、伝送装置のシェルフにパッケージを収容し、パッケージにライン（着脱式光部品（ＳＦＰ）／光ファイバ）を収容し、強制コマンドによりそれらに対して自動ロック／ロック解除を行う実施例である。この実施例５の動作シーケンスを図１１に示す。
【０１０４】
［５−１］ライン強制ロック解除時
図１８に示したような伝送装置において、対向装置側で警報発生中にも拘わらず、自装置側では、警報未発生状態で異常が発生している可能性がある。このような場合、保守作業としてライン（着脱式光部品（ＳＦＰ）／光ファイバ）を強制的に抜去する必要が生じることがある。
【０１０５】
保守対象の伝送装置に警報が発生していない状態でも、ライン（着脱式光部品（ＳＦＰ）／光ファイバ）を抜去するために、外部の監視制御端末（ＯＰＳ）１−３から該当ライン（着脱式光部品（ＳＦＰ）又は光ファイバ）に対してロックを解除する「強制ロック解除コマンド」を投入する。
【０１０６】
コマンド解析部１−１２にて投入コマンドがラインの「強制ロック解除コマンド」と判定された場合は、コマンド制御部１−１６にライン（着脱式光部品（ＳＦＰ）／光ファイバ）に対する強制ロック解除を依頼する。コマンド制御部１−１６では、ロック制御管理テーブル（図１６及び図１７）を参照して、該当ラインのロック制御状態が「ロック」の状態の場合は、ロック制御部１−１５に該当ラインのロック解除を依頼してロック制御管理テーブル（図１６及び図１７）のロック制御状態を「解除」の状態に変更する。
【０１０７】
ロック制御部１−１５は、コマンド制御部１−１６からの強制ロック解除の依頼により、該当ラインのロックを解除する。これにより、保守対象のライン（着脱式光部品（ＳＦＰ）／光ファイバ）の抜去が可能となる。ライン（着脱式光部品（ＳＦＰ）／光ファイバ）の交換に伴い、ライン警報が発生／回復することにより、自動ロック制御が行われる。ロック制御手段は、実施例４のロック制御手段と同様である。
【０１０８】
［５−２］パッケージ強制ロック解除時
ライン（着脱式光部品（ＳＦＰ）／光ファイバ）の交換を行ってもなお対向装置側で警報発生が停止しない場合は、保守作業としてパッケージの抜去が必要になる場合がある。自装置側で警報が発生していない状態でもパッケージを抜去するために、外部の監視制御端末（ＯＰＳ）１−３から該当パッケージに対してロックを解除する「強制ロック解除コマンド」を投入する。
【０１０９】
コマンド解析部１−１２にて投入コマンドがパッケージの「強制ロック解除コマンド」と判定された場合は、コマンド制御部１−１６にパッケージに対する強制ロック解除を依頼する。コマンド制御部１−１６では、ロック制御管理テーブル（図１５）を参照して、該当パッケージ並びに該パッケージに収容された着脱式光部品（ＳＦＰ）及び光ファイバが「ロック」状態である場合は、ロック制御部１−１５に該当パッケージ並びに該パッケージに収容された着脱式光部品（ＳＦＰ）及び光ファイバのロック解除を依頼し、ロック制御管理テーブルのロック制御状態を「解除」状態に変更する。
【０１１０】
ロック制御部１−１５は、コマンド制御部１−１６からの強制ロック解除の依頼により、該当パッケージ並びに該パッケージに収容された着脱式光部品（ＳＦＰ）及び光ファイバのロックを解除する。これにより、保守対象のパッケージの抜去が可能となる。パッケージの交換に伴い、パッケージ警報が発生／回復することにより、自動ロック制御が行われる。ロック制御手段は、実施例４のロック制御手段と同様である。
【図面の簡単な説明】
【０１１１】
【図１】本発明によるパーツの取り外し制止機能の全体の機能ブロック図である。
【図２】ロック制御管理テーブルの構成例を示す図である。
【図３】警報管理テーブルの構成例を示す図である。
【図４】パッケージの実装形態の例を示す図である。
【図５】着脱式光部品の実装形態の例を示す図である。
【図６】ケーブルの実装形態の例を示す図である。
【図７】実施例１の動作シーケンスを示す図である。
【図８】実施例２の動作シーケンスを示す図である。
【図９】実施例３の動作シーケンスを示す図である。
【図１０】実施例４の動作のシーケンスを示す図である。
【図１１】実施例５の動作シーケンスを示す図である。
【図１２】パッケージのロック機構を示す図である。
【図１３】着脱式光部品のロック機構を示す図である。
【図１４】ケーブルのロック機構を示す図である。
【図１５】パッケージ登録時のロック制御管理テーブルの例を示す図である。
【図１６】着脱式光部品登録時のロック制御管理テーブルの例を示す図である。
【図１７】ケーブル登録時のロック制御管理テーブルの例を示す図である。
【図１８】伝送装置等におけるパッケージ等の実装構成例を示す図である。
【図１９】従来のパッケージ及び着脱式光部品の取り外し制止機構を示す図である。
【図２０】従来のパッケージの実装前及び実装後の状態を示す図である。
【図２１】従来の着脱式光部品の実装前及び実装後の状態を示す図である。
【図２２】従来のケーブルの実装前及び実装後の状態を示す図である。
【符号の説明】
【０１１２】
１−１  ファームウェア部
１−１１  コマンド送受信部
１−１２  コマンド解析部
１−１３  データ設定部
１−１４  警報検出部
１−１５  ロック制御部
１−１６  コマンド制御部
１−１７  警報制御部
１−１８  ロック制御管理テーブル
１−１９  警報管理テーブル
１−２  ロック機構部
１−３  外部の監視制御端末（ＯＰＳ）
【図１】
2009158895.tif 000003
【図２】
2009158895.tif 000004
【図３】
2009158895.tif 000005
【図４】
2009158895.tif 000006
【図５】
2009158895.tif 000007
【図６】
2009158895.tif 000008
【図７】
2009158895.tif 000009
【図８】
2009158895.tif 000010
【図９】
2009158895.tif 000011
【図１０】
2009158895.tif 000012
【図１１】
2009158895.tif 000013
【図１２】
2009158895.tif 000014
【図１３】
2009158895.tif 000015
【図１４】
2009158895.tif 000016
【図１５】
2009158895.tif 000017
【図１６】
2009158895.tif 000018
【図１７】
2009158895.tif 000019
【図１８】
2009158895.tif 000020
【図１９】
2009158895.tif 000021
【図２０】
2009158895.tif 000022
【図２１】
2009158895.tif 000023
【図２２】
2009158895.tif 000024